(57)【要約】  装置本体の正面表示部の面積を確保しつつ別体の被保持物を保持することができる保持装置を提供する。保持装置（１）において、装置本体（２０）の正面にフロントパネル部（２３）が設けられ、スライド部（１１）が装置本体（２０）の正面から突没スライド自在に支持されるとともに、スライド部（１１）及びチルト部（１２）の幅がフロントパネル部（２３）の幅よりも狭くなっている。これにより、フロントパネル部（２３）の面積を確保しつつ別体のスマートフォン（５）を保持することができる。
2018235672.tif 000002
【特許請求の範囲】
【請求項１】
被保持物を保持する保持機構と、該保持機構を取付対象に取り付ける装置本体と、を備えた保持装置であって、
前記保持機構は、前記装置本体の正面から突没スライド自在に支持されるスライド部を備え、
前記装置本体の正面には、正面表示部が設けられ、
前記スライド部の幅が前記正面表示部の幅よりも狭いことを特徴とする保持装置。
【請求項２】
前記スライド部は、使用者に手動で操作される構成であることを特徴とする請求項１に記載の保持装置。
【請求項３】
前記正面表示部には、前記スライド部が配置される凹状の切欠き部が形成されていることを特徴とする請求項１に記載の保持装置。
【請求項４】
前記保持機構は、起立角度を変更可能に前記スライド部に支持されるチルト部を備え、
前記チルト部は、前記被保持物の背面に位置する矩形板状の保持板部と、該保持板部から突出して前記被保持物を挟持する挟持部と、を有し、
前記挟持部における前記チルト部の厚さが前記切欠き部の深さよりも大きく、
前記正面表示部は、前記切欠き部側が前記装置本体から遠ざかる回動と、前記装置本体からの取り外しと、のうち少なくとも一方が可能に構成されていることを特徴とする請求項３に記載の保持装置。
【請求項５】
前記保持機構は、保持した前記被保持物の向きを変更可能に構成されていることを特徴とする請求項１に記載の保持装置。
【請求項６】
前記保持機構は、前記被保持物として携帯機器を保持することを特徴とする請求項１に記載の保持装置。
【請求項７】
車両のインストルメントパネルに設けられることを特徴とする請求項１に記載の保持装置。
【発明の詳細な説明】
【技術分野】
【０００１】
本発明は、保持装置に関する。
【背景技術】
【０００２】
従来、ディスプレイがスライド移動及びチルト移動可能に構成された電子機器が提案されている（例えば、特許文献１参照）。特許文献１に記載された従来の電子機器では、不使用時にはディスプレイが本体に収納され、使用時にはディスプレイが本体の外側に向かってスライドするとともに起立し、表示画面が使用者に向けられるようになっている。
【先行技術文献】
【特許文献】
【０００３】
【特許文献１】特開２０１４−１４２９８４号公報
【発明の概要】
【発明が解決しようとする課題】
【０００４】
ところで、画面を有する機器として、スマートフォン等の板状のものが知られており、特許文献１に記載された電子機器において、ディスプレイに代えて、画面を有する被保持物を用いる構成が考えられる。即ち、電子機器とは別体の被保持物を保持し、この画面に適宜な映像等を表示させることにより、使用者に情報を伝達してもよい。このように別体の被保持物を用いる場合も同様に、不使用時には被保持物を保持する機構を本体に収納することが好ましく、特許文献１の電子機器と同様のスライド機構を設ければよい。【０００５】
このような別体の機器を装置と連携して作動させたり、別体の機器を保持しない状態で装置自体を単独で使用したりする場合、装置本体の正面に、操作等のための表示部を設ける必要がある。このとき、装置本体の正面から保持機構を引き出そうとすると、正面表示部を設けるためのスペースが減少してしまう。【０００６】
したがって、本発明の課題は、装置本体の正面表示部の面積を確保しつつ別体の被保持物を保持することができる保持装置を提供することが一例として挙げられる。
【課題を解決するための手段】
【０００７】
前述した課題を解決し目的を達成するために、請求項１に記載の本発明の保持装置は、被保持物を保持する保持機構と、該保持機構を取付対象に取り付ける装置本体と、を備えた保持装置であって、保持機構は、前記装置本体の正面から突没スライド自在に支持されるスライド部を備え、前記装置本体の正面には、正面表示部が設けられ、前記スライド部の幅が前記正面表示部の幅よりも狭いことを特徴としている。
【図面の簡単な説明】
【０００８】
【図１】本発明の実施例に係る保持装置を示す正面図である。
【図２】前記保持装置に被保持物を保持させた様子を示す斜視図である。
【図３】前記保持装置を示す分解斜視図である。
【図４】前記保持装置の動作を示す斜視図である。
【図５】前記保持装置の保持機構を示す正面図である。
【図６】前記保持機構の保持部を回動させた様子を示す正面図である。
【発明を実施するための形態】
【０００９】
以下、本発明の実施形態を説明する。本発明の実施形態に係る保持装置は、被保持物を保持する保持機構と、保持機構を取付対象に取り付ける装置本体と、を備えた保持装置である。保持機構は、装置本体の正面から突没スライド自在に支持されるスライド部を備える。装置本体の正面には、正面表示部が設けられる。スライド部の幅が正面表示部の幅よりも狭くなっている。
【００１０】
スライド部が装置本体の正面から突没スライド自在に支持され、スライド部の幅が正面表示部よりも狭いことで、装置本体の正面表示部の面積を確保しつつ別体の被保持物を保持することができる。
【００１１】
スライド部は、使用者に手動で操作される構成であることが好ましい。それにより、スライド動作のための電動機構を設ける必要がなく、スライド部の幅を容易に狭くすることができる。尚、後述のように保持機構がチルト部を備える場合、チルト部も使用者により手動で操作される構成であることが好ましい。
【００１２】
正面表示部には、スライド部が配置される凹状の切欠き部が形成されていることが好ましい。それにより、正面表示部とスライド部との干渉を抑制することができる。
【００１３】
保持機構は、起立角度を変更可能にスライド部に支持されるチルト部を備え、チルト部は、被保持物の背面に位置する矩形板状の保持板部と、保持板部から突出して被保持物を挟持する挟持部と、を有し、挟持部におけるチルト部の厚さが切欠き部の深さよりも大きく、正面表示部は、切欠き部側が装置本体から遠ざかる回動と、装置本体からの取り外しと、のうち少なくとも一方が可能に構成されていることが好ましい。それにより、挟持部の突出寸法を大きくして被保持物を挟持させやすくするとともに、挟持部が正面表示部を通過する際に、正面表示部を一時的に回動させるか又は取り外すことにより、挟持部と正面表示部との干渉を抑制することができる。従って、正面表示部を挟持部に合わせた形状とする必要がなく、正面表示部の面積を大きくすることができる。
【００１４】
保持機構は、保持した被保持物の向きを変更可能に構成されていることが好ましい。それにより、使用者は被保持物を適宜な向きで使用することができる。
【００１５】
保持機構は、被保持物として携帯機器を保持してもよいし、保持装置は、車両のインストルメントパネルに設けられてもよい。尚、ここにいう携帯機器とは、使用者によって携帯される電子機器であって、スマートフォンやタブレット端末やゲーム機器等が一例として挙げられる。
【実施例】
【００１６】
以下、本発明の実施例について図を参照して具体的に説明する。本実施例の保持装置は、車載機器であって、車両の運転席におけるインストルメントパネルに搭載されて使用される。また、本実施例の保持装置は、保持対象の被保持物として、携帯機器の一例であるスマートフォンを保持する。【００１７】
本実施例の保持装置１は、図１〜３に示すように、スマートフォン５の保持機構１０と、インストルメントパネルに搭載される矩形箱状の装置本体２０と、を備えている。【００１８】
保持機構１０は、装置本体２０に突没自在に保持される。また、保持機構１０は、装置本体２０に、正面から突没スライド自在に支持されるスライド部１１と、このスライド部１１に軸支されてスマートフォン５を保持するチルト部１２と、を備えている。保持機構１０は、スマートフォン５を保持させる際には、装置本体２０から図３に示されている突没方向Ｄ１１における突出方向Ｄ１１１にスライド部１１が引き出され、チルト部１２が図２示されている回動方向Ｄ１２における起立方向Ｄ１２１に立てられる。チルト部１２は、後述するように基部３及び保持部４を有しており、保持部４の起立角度を変更可能なようにスライド部１１に支持されている。そして、この立てられたチルト部１２にスマートフォン５を保持させるように構成されている。【００１９】
装置本体２０は、矩形箱状の装置本体２０における上壁と一対の側壁とをなす上シャーシ２１と、下壁をなす下シャーシ２２と、を備えている。上述の保持機構１０のスライド部１１は、上シャーシ２１の上壁に突没スライド自在に支持されている。下シャーシ２２には、矩形箱状の装置本体２０における背面側の一端辺に、この装置本体２０における背面壁をなす長方形状の背面基板２２１が立設されている。この背面基板２２１には、外部機器との各種接続コネクタや、スマートフォン５との間で、例えばブルートゥース（登録商標）規格等に則った短距離通信を行うためのアンテナ等が搭載されている。また、下シャーシ２２の内面には、背面基板２２１と電気的に接続された内面基板２２２が取り付けられている。【００２０】
また、装置本体２０は、装置本体２０における正面壁をなして（即ちその正面に設けられて）使用者インタフェースの役割を担う正面表示部としての長方形板状の脱着可能なフロントパネル部２３と、このフロントパネル部２３を着脱自在、かつ、回動自在に保持するパネル部２４と、を備えている。パネル部２４は、上シャーシ２１及び下シャーシ２２に固定される。このパネル部２４は、上シャーシ２１に支持される保持機構１０と干渉しないように切欠きが設けられた形状に形成されている。フロントパネル部２３の長手方向の両端には、回動軸をなす一対の軸突起２３１が設けられ、これら一対の軸突起２３１が、パネル部２４における一対の保持アーム２４１に、着脱自在かつ回動自在に保持される。即ち、フロントパネル部２３は、装置本体２０に対し、回動操作及び取り外し操作が可能となっている。【００２１】
本実施例の保持装置１では、上シャーシ２１に支持される保持機構１０と、パネル部２４と、のそれぞれが、下シャーシ２２の内面基板２２２に、ケーブル２２３で電気的に接続されている。本実施例では、図２に示されているように保持されたスマートフォン５に対するタッチ操作や、フロントパネル部２３に対するボタン操作により、例えばスマートフォン５の画面上への地図情報の表示や、車載オーディオ機器からの音楽の再生等を行うことができる。また、保持したスマートフォン５に対する充電を、保持機構１０と内面基板２２２とを繋ぐケーブル２２３と、スマートフォン５から延伸して保持機構１０に接続した充電ケーブルと、を介して行うこともできる。【００２２】
以上に説明した保持装置１は、次のような手順によってスマートフォン５を保持させる。【００２３】
図４は、図１〜図３に示されている保持装置にスマートフォンを保持させるための一例の手順を示す模式図である。尚、この図４では、図を見易くするために、装置本体２０については、上シャーシ２１のみが示されている。以下に説明する手順は、使用者の手作業（手動）によって行われる。【００２４】
まず、ステップＳ１１及びステップＳ１２において、装置本体２０から突出方向Ｄ１１１に保持機構１０が引き出される。このとき、本実施例では、フロントパネル部２３は、保持機構１０の動きの邪魔とならないように、図３に示されている軸突起２３１を回動中心として回動されて前方に倒されるか、パネル部２４から取り外される。即ち、フロントパネル部２３は、後述する切欠き部２３２側が装置本体２０から遠ざかる回動と、装置本体２０からの取り外しと、の両方が可能となっている。またこのとき、保持機構１０において、後述する保持爪４２１、４３１が引き出し方向に対向して（即ち並んで）いる。即ち、保持機構１０の挟持方向と、スライド部１１の突没スライド方向と、が一致した状態で保持機構１０が装置本体２０に収納されるようになっている。【００２５】
続くステップＳ１３では、保持機構１０において、チルト部１２がスライド部１１に対して起立方向Ｄ１２１に立てられる。このとき、チルト部１２は、スライド部１１に軸支された基部３と、基部３によって回動自在に支持される保持部４と、を備え、保持部４において、計３本の保持爪４２１、４３１によってチャッキング機構４６が構成されている。本実施例では、このステップＳ１３でチルト部１２が立てられた状態では、チャッキング機構４６は、１本の保持爪４３１が上部側に位置し、２本の保持爪４２１が下部側に位置する姿勢となっている。また、チャッキング機構４６では、上部側となる１本の保持爪４３１が、下部側となる２本の保持爪４２１に向かってバネ付勢されている。【００２６】
ステップＳ１４では、このチャッキング機構４６におけるバネ付勢に抗して上部側の保持爪４３１が引上げ方向Ｄ１３１に引き上げられる。【００２７】
そして、ステップＳ１５において、上記のように引き上げられた上部側の保持爪４３１と、下部側の保持爪４２１と、の間に、スマートフォン５が、その長手方向が水平方向を向く横向きで配置される。使用者が上部側の保持爪４３１を離すと、上記のバネ付勢により上部側の保持爪４３１が下降方向Ｄ１３２に動く。これにより、上部側の保持爪４３１と、下部側の保持爪４２１と、でスマートフォン５が挟持される。【００２８】
ここで、本実施例では、チルト部１２において、チャッキング機構４６を有する保持部４が、スマートフォン５の画面の面直方向に沿った回動軸Ｏ１を中心とした回動方向Ｄ１４に回動自在に取り付けられている。上記のようにステップＳ１５の段階では、スマートフォン５は横向き（その長手方向が水平方向を向いた状態）で保持されている。使用者が、このスマートフォン５を縦向き（その長手方向が上下方向を向いた状態）にして表示画面を見たいと考えた場合、次のステップＳ１６によって、スマートフォン５を縦向きとすることができる。即ち、ステップＳ１６では、スマートフォン５ごと、チャッキング機構４６が、回動軸Ｏ１を中心として図中の時計回りに９０°回動される。この回動によりスマートフォン５が縦向きとなる。また、この後、使用者が、スマートフォン５を横向きにして表示画面を見たいと考えた場合には、チャッキング機構４６が図中の反時計回りに９０°戻されて、スマートフォン５が横向きとされる。【００２９】
また、本実施例では、使用者は、保持機構１０を引き出した後の任意のタイミングでフロントパネル部２３を戻す。その結果、スマートフォン５の保持を行なった後の外観が、例えば図２示されているような外観となる。スマートフォン５が外されて保持機構１０が装置本体２０に収納される際には、図４に示されている手順とは逆の手順によって、保持機構１０の収納が行われる。【００３０】
ここで、保持部４の詳細な形状について説明する。以下では、車両の前後方向（進行方向）をＸ方向とし、車幅方向（左右方向）をＹ方向とし、上下方向をＺ方向とし、保持装置１は、スマートフォン５をＸ方向後方側に向けて（即ち画面がＹＺ平面に沿うように）保持するものとする。また、長方形状のスマートフォン５の短辺方向を幅方向とする。【００３１】
保持部４は、図５に示すように、スマートフォン５の背面に位置してＹＺ平面に沿って延びる矩形板状の保持板部４１と、保持板部４１の一辺に配置された固定挟持部４２と、保持板部４１の背面に重ねられるとともに保持爪４３１を有する移動挟持部４３と、移動挟持部４３を固定挟持部４２に近づけるように付勢する付勢手段と、を有する。尚、図５は、スマートフォン５を保持していない状態（上記のステップＳ１３の状態）を示しており、各部の寸法および位置関係については、特に説明がない限りこの状態を基準とする。【００３２】
固定挟持部４２は、２つの保持爪４２１によって構成されている。２つの保持爪４２１は、保持板部４１の外縁に沿って並ぶとともにスライド自在に設けられており、スマートフォン５の端縁に沿ってスライドして当接部として機能する。また、２つの保持爪４２１は、それぞれ範囲Ａ１、Ａ２においてスライド自在となっており、最接近状態において互いに所定の間隔をあけるとともに、最離隔状態において、保持板部４１の隅部に位置する。また、固定挟持部４２は、図５に示す状態において、基部３の下端３１と略同一高さ（同程度の高さ又はやや上方）に配置されている。【００３３】
保持部４が基部３によって軸支される回動軸（回動中心）Ｏ１は、矩形板状の基部３のＹ方向中央部に配置されている。また、回動軸Ｏ１は、挟持部４２、４３による挟持方向（Ｚ方向）において、固定挟持部４２よりも移動挟持部４３の近くに配置されている。また、回動軸Ｏ１は、挟持方向との直交方向（Ｙ方向）において、保持板部４１の中央部に配置される。ここで、上記の直交方向における保持板部４１の寸法の半分（即ち、回動軸Ｏ１からＹ方向における保持板部４１の端縁４１１までの距離）をＬ１とし、Ｚ方向における回動軸Ｏ１から固定挟持部４２までの距離をＬ２とする。本実施例では、距離Ｌ２が距離Ｌ１よりも長い。また、距離Ｌ２は、所定寸法（例えば５インチ）のスマートフォン５の幅の略半分であるとともに、基部３のＹ方向寸法の略半分である。即ち、基部３のＹ方向寸法は、所定寸法のスマートフォン５の幅と略等しい。【００３４】
このような保持部４によって所定寸法のスマートフォン５を挟持するために移動挟持部４３を移動させると、固定挟持部４２と移動挟持部４３との中間に回動軸Ｏ１が位置し、スマートフォン５の幅方向中央部と、回動軸Ｏ１と、が略一致する。【００３５】
ここで、図５に示す状態から、保持部４を略９０°回動させた様子（上記のステップＳ１６の状態）を図６に示す。このとき、固定挟持部４２は、基部３のＹ方向一方側の端縁３２に重なる。さらに、距離Ｌ２が距離Ｌ１よりも長いことから、回動後の保持板部４１の端縁４１１は、回動前の固定挟持部４２よりもＺ方向において上方に位置する。【００３６】
図６に示す状態において、距離Ｌ２がスマートフォン５の幅の略半分であり、回動軸Ｏ１がＹ方向において基部３の中央部に配置され、固定挟持部４２が基部３の端縁３２に重なっていることから、所定寸法のスマートフォン５を挟持した際、移動挟持部４３が他方側の端縁３３に重なり、スマートフォン５及び基部３のＹ方向中央部同士が略一致する。また、所定寸法のスマートフォン５及び基部３のＹ方向両側の端縁同士が揃う。【００３７】
次に、フロントパネル部２３及び保持機構１０の詳細な形状及び寸法について、図１、２に基づいて説明する。【００３８】
フロントパネル部２３の上端面には、凹状の切欠き部２３２が形成されている。切欠き部２３２は、フロントパネル部２３の幅方向（水平方向）中央部に配置され、フロントパネル部２３の幅全体のうち１／３〜１／２程度の範囲に形成されている。また、軸突起２３１はフロントパネル部２３の下端近傍に配置されており、フロントパネル部２３は、下端部を中心として、切欠き部２３２が形成された上端部が回動するようになっている。【００３９】
切欠き部２３２の深さＤ１は、スライド部１１の厚さＴ１、及び、チルト部１２のうち挟持部４２、４３以外の部分の厚さＴ２と略等しい。また、深さＤ１は、チルト部１２のうち挟持部４２、４３における厚さＴ３よりも小さい。切欠き部２３２の幅Ｗ１は、スライド部１１の幅Ｗ２、及び、チルト部１２の幅Ｗ３と略等しい。即ち、スライド部１１及びチルト部１２の幅が、フロントパネル部２３全体の幅よりも狭くなっている。尚、本実施例では、スライド部１１及びチルト部はいずれも全体が板状に形成されており、これらの「幅」とは、幅方向（Ｙ方向）寸法を意味する。また、スライド部が突没スライド方向（Ｘ方向）に沿って延びる一対のレール状部材によって構成される場合には、スライド部の「幅」は、一対のレール状部材の対向方向（Ｙ方向）寸法を意味する。【００４０】
スライド部１１及びチルト部１２が装置本体２０に収納された際、図１に示すように、チルト部１２が切欠き部２３２に位置付けられ、スライド部１１及びチルト部１２が装置本体２０から引き出されてスマートフォン５を保持する際、図２に示すように、スライド部１１が切欠き部２３２に位置付けられる。尚、図２に示すように、切欠き部２３２の幅Ｗ１よりも大きい長辺方向寸法を有するスマートフォン５を保持してもよいし、幅Ｗ１よりも小さい長辺方向寸法を有するスマートフォンを保持してもよい。【００４１】
上記の構成により、スライド部１１及びチルト部１２が装置本体２０の正面から突没スライド自在に支持され、スライド部１１の幅がフロントパネル部２３の幅よりも狭いことで、フロントパネル部２３の面積を確保しつつ別体のスマートフォン５を保持することができる。さらに、チルト部１２の幅を狭くすると、チルト部１２単体では、その背面に位置する構造物を隠しにくくなるものの、チルト部１２にスマートフォン５を保持させることにより、その背面に位置する構造物を隠すことができ、意匠性を向上させることができる。【００４２】
スライド部１１及びチルト部１２は、使用者により手動で操作されることで、スライド動作およびチルト動作のための電動機構を設ける必要がなく、スライド部１１及びチルト部１２の幅を容易に狭くすることができる。【００４３】
フロントパネル部２３に凹状の切欠き部２３２が形成されていることで、フロントパネル部２３とスライド部１１及びチルト部１２との干渉を抑制することができる。【００４４】
フロントパネル部２３が、装置本体２０に対して回動および取り外し可能に構成されるとともに、挟持部４２、４３におけるチルト部１２の厚さＴ３が切欠き部２３２の深さＤ１よりも大きいことで、スマートフォン５を挟持させやすくするとともに、挟持部４２、４３とフロントパネル部２３との干渉を抑制することができる。フロントパネル部２３を挟持部４２、４３に合わせた形状とする必要がなく、フロントパネル部２３の面積を大きくすることができる。【００４５】
チルト部１２が、保持部４と基部３とを備え、保持したスマートフォン５の向きを変更可能に構成されていることで、使用者はスマートフォン５を適宜な向きで使用することができる。【００４６】
なお、本発明は、前記実施例に限定されるものではなく、本発明の目的が達成できる他の構成等を含み、以下に示すような変形等も本発明に含まれる。【００４７】
例えば、前記実施例では、スライド部１１及びチルト部１２が使用者により手動で操作されるものとしたが、スライド動作やチルト動作のための電動機構が設けられてもよい。【００４８】
また、前記実施例では、フロントパネル部２３に凹状の切欠き部２３２が形成されるものとしたが、フロントパネル部に貫通孔が形成されるとともに、この貫通孔にスライド部１１又はチルト部１２が配置されることにより、干渉が抑制されていてもよい。【００４９】
また、前記実施例では、挟持部４２、４３におけるチルト部１２の厚さＴ３が切欠き部２３２の深さＤ１よりも大きいものとしたが、厚さＴ３が深さＤ１以下であってもよい。このような構成によれば、スライド部１１をスライドさせてチルト部１２を引き出す際に、フロントパネル部２３を回動させたり取り外したりする必要がない。【００５０】
また、前記実施例では、チルト部１２が保持したスマートフォン５の向きを変更可能に構成されているものとしたが、保持装置は、スマートフォンを一定の向きで保持して使用するものであってもよい。【００５１】
また、前記実施例では、保持機構１０がスライド部１１及びチルト部１２を備えるものとしたが、保持機構は少なくともスライド部を備えていればよく、引き出されたスライド部に被保持部が載置されることにより、被保持部が保持される構成としてもよい。【００５２】
また、前記実施例では、保持装置１がスマートフォンを保持するものとしたが、保持対象である被保持物は、画面を有するものであればよく、例えば通信機能を有しておらず単に記録媒体に記憶された映像等を再生する再生機器であってもよい。また、被保持物が携帯機器である場合、その携帯機器は、本実施例のようにスマートフォンに限るものでもなく、例えばタブレット端末やゲーム機器等であってもよい。【００５３】
また、前記実施例では、保持装置が車両のインストルメントパネルに設けられるものとしたが、保持装置は、船舶や航空機等、車両以外の移動体に設けられてもよいし、建物内の壁や家具等に設けられてもよい。【００５４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５５】
１  保持装置
１０  保持機構
１１  スライド部
１２  チルト部
２０  装置本体
２３  フロントパネル部（正面表示部）
２３２  凹部
３  基部
４  保持部
４１  保持板部
４２  固定挟持部
４３  移動挟持部
５  スマートフォン（被保持物）
【図１】
2018235672.tif 000003
【図２】
2018235672.tif 000004
【図３】
2018235672.tif 000005
【図４】
2018235672.tif 000006
【図５】
2018235672.tif 000007
【図６】
2018235672.tif 000008
【手続補正書】
【提出日】令和1年12月17日(2019.12.17)
【手続補正１】
【補正対象書類名】明細書
【補正対象項目名】０００７
【補正方法】変更
【補正の内容】
【０００７】
前述した課題を解決し目的を達成するために、請求項１に記載の本発明の保持装置は、被保持物を保持する保持機構と、該保持機構を取付対象に取り付ける装置本体と、を備えた保持装置であって、前記保持機構は、前記装置本体の正面から突没スライド自在に支持されるスライド部を備え、前記装置本体の正面には、正面表示部が設けられ、前記スライド部の幅が前記正面表示部の幅よりも狭く、前記保持機構は、前記装置本体から引き出されて起立され、かつ、前記正面表示部が前記装置本体の正面壁をなした状態で、当該保持機構の上端部が前記装置本体上端よりも上に位置する、ことを特徴としている。
【手続補正２】
【補正対象書類名】特許請求の範囲
【補正対象項目名】全文
【補正方法】変更
【補正の内容】
【特許請求の範囲】
【請求項１】
被保持物を保持する保持機構と、該保持機構を取付対象に取り付ける装置本体と、を備えた保持装置であって、
前記保持機構は、前記装置本体の正面から突没スライド自在に支持されるスライド部を備え、
前記装置本体の正面には、正面表示部が設けられ、
前記スライド部の幅が前記正面表示部の幅よりも狭く、
前記保持機構は、前記装置本体から引き出されて起立され、かつ、前記正面表示部が前記装置本体の正面壁をなした状態で、当該保持機構の上端部が前記装置本体上端よりも上に位置する、
ことを特徴とする保持装置。
【請求項２】
前記保持機構は、前記スライド部に支持されるチルト部を備え、
前記チルト部は、前記被保持物を挟持する挟持部を有し、
前記挟持部は、前記起立された状態で前記被保持物の下部を保持する固定挟持部と、前記固定挟持部と接離方向に移動可能であるとともに前記起立された状態で前記被保持物の上部を保持する移動挟持部と、を有する、
ことを特徴とする請求項１に記載の保持装置。
【請求項３】
前記スライド部は、使用者に手動で操作される構成であることを特徴とする請求項１に記載の保持装置。
【請求項４】
前記正面表示部には、前記スライド部が配置される凹状の切欠き部が形成されていることを特徴とする請求項１に記載の保持装置。
【請求項５】
前記チルト部は、起立角度を変更可能に前記スライド部に支持され、
前記チルト部は、前記被保持物の背面に位置する矩形板状の保持板部を有し、
前記挟持部は、該保持板部から突出して前記被保持物を挟持し、
前記挟持部における前記チルト部の厚さが前記切欠き部の深さよりも大きく、
前記正面表示部は、前記切欠き部側が前記装置本体から遠ざかる回動と、前記装置本体からの取り外しと、のうち少なくとも一方が可能に構成されていることを特徴とする請求項４に記載の保持装置。
【請求項６】
前記保持機構は、保持した前記被保持物の向きを変更可能に構成されていることを特徴とする請求項１に記載の保持装置。
【請求項７】
前記保持機構は、前記被保持物として携帯機器を保持することを特徴とする請求項１に記載の保持装置。
【請求項８】
車両のインストルメントパネルに設けられることを特徴とする請求項１に記載の保持装置。
【国際調査報告】
2018235672.tif 000009
2018235672.tif 000010
2018235672.tif 000011